【手続補正書】
【提出日】平成18年4月7日(2006.4.7)
【手続補正１】
【補正対象書類名】明細書
【補正対象項目名】発明の名称
【補正方法】変更
【補正の内容】
【発明の名称】画像処理システム、画像出力装置、画像処理方法、プログラムおよび記憶媒体
【手続補正２】
【補正対象書類名】明細書
【補正対象項目名】特許請求の範囲
【補正方法】変更
【補正の内容】
【特許請求の範囲】
【請求項１】  被写体を撮影し、該撮影された被写体の画像データとともにその撮影情報を離脱可能に装着された記録媒体に記録することが可能な撮像装置と、前記記録媒体を離脱可能に装着する装着手段を有し、前記装着手段に装着された記録媒体に記録されている画像データを可視画像として出力する画像出力装置とを備える画像処理システムであって、
前記画像出力装置は、前記記録媒体に記録されている撮影情報を読み出し、解析する解析手段と、前記撮影情報の解析結果に基づいて撮像時にフラッシュ発光が行われたか否かを判定する判定手段と、前記フラッシュ発光が行われた画像データであると判定された場合、被写体内の人物における赤目の存在の有無を検出する被写体検出手段と、前記赤目の存在が検出されると、該検出された赤目を補正する赤目補正手段とを有することを特徴とする画像処理システム。
【請求項２】  前記撮影情報には撮影モードが含まれ、前記判定手段は、前記撮影情報の解析結果に基づいて撮像時に前記フラッシュ発光が行われかつ前記撮影モードが人物を主被写体とするモードであるか否かを判定し、前記被写体検出手段は、前記フラッシュ発光が行われかつ前記撮影モードが人物を主被写体とするモードである場合、前記赤目の存在の有無を検出することを特徴とする請求項１記載の画像処理システム。
【請求項３】  前記撮影情報には撮影倍率が含まれ、前記被写体検出手段は、基準撮影倍率から想定される特徴量の大きさと前記撮影倍率から想定される特徴量の大きさとを比較し、該比較結果に応じて前記赤目の存在の有無を検出することを特徴とする請求項１または２記載の画像処理システム。
【請求項４】  前記撮影倍率は、前記撮像装置のレンズの焦点距離、被写体距離、および有効画素数のうち、少なくとも１つから決定されることを特徴とする請求項３記載の画像処理システム。
【請求項５】  前記撮影情報には撮影時の画像方向が含まれ、前記画像出力装置の前記被写体検出手段は、前記記録媒体から画像データおよび前記画像方向を読み出し、前記画像方向に基づいて前記画像データを所定方向に変換して保持する画像保持手段を含み、前記被写体検出手段は、前記画像保持手段に保持されている画像データに基づいて撮像された被写体内の人物における赤目の存在の有無を検出することを特徴とする請求項１または２記載の画像処理システム。
【請求項６】  前記撮影情報には、前記フラッシュ発光時における照射方向が含まれ、前記判定手段は、前記フラッシュ発光時における照射方向が特定の方向であるときには、前記フラッシュ発光が行われていないと判定することを特徴とする請求項１記載の画像処理システム。
【請求項７】  撮影された被写体の画像データおよびその撮影情報が記録されている記録媒体を離脱可能に装着する装着手段を有し、前記装着手段に装着された記録媒体に記録されている画像データを可視画像として出力する画像出力装置であって、
前記記録媒体に記録されている撮影情報を読み出し、解析する解析手段と、
前記撮影情報の解析結果に基づいて撮像時にフラッシュ発光が行われたか否かを判定する判定手段と、
前記フラッシュ発光が行われた画像データであると判定された場合、被写体内の人物における赤目の存在の有無を検出する被写体検出手段と、
前記赤目の存在が検出されると、該検出された赤目を補正する赤目補正手段と
を有することを特徴とする画像出力装置。
【請求項８】  前記撮影情報には撮影モードが含まれ、前記判定手段は、前記撮影情報の解析結果に基づいて撮像時に前記フラッシュ発光が行われかつ前記撮影モードが人物を主被写体とするモードであるか否かを判定し、前記被写体検出手段は、前記フラッシュ発光が行われかつ前記撮影モードが人物を主被写体とするモードである場合、前記赤目の存在の有無を検出することを特徴とする請求項７記載の画像出力装置。
【請求項９】  前記撮影情報には撮影倍率が含まれ、前記被写体検出手段は、基準撮影倍率から想定される特徴量の大きさと前記撮影倍率から想定される特徴量の大きさとを比較し、該比較結果に応じて前記赤目の存在の有無を検出することを特徴とする請求項７または８記載の画像出力装置。
【請求項１０】  前記撮影倍率は、撮像装置のレンズの焦点距離、被写体距離、および有効画素数のうち、少なくとも１つから決定されることを特徴とする請求項９記載の画像出力装置。
【請求項１１】  前記撮影情報には撮影時の画像方向が含まれ、前記被写体検出手段は、前記記録媒体から画像データおよび前記画像方向を読み出し、前記画像方向に基づいて前記画像データを所定方向に変換して保持する画像保持手段を含み、前記被写体検出手段は、前記画像保持手段に保持されている画像データに基づいて撮像された被写体内の人物における赤目の存在の有無を検出することを特徴とする請求項７または８記載の画像出力装置。
【請求項１２】  前記撮影情報には、前記フラッシュ発光時における照射方向が含まれ、前記判定手段は、前記フラッシュ発光時における照射方向が特定の方向であるときには、前記フラッシュ発光が行われていないと判定することを特徴とする請求項７記載の画像出力装置。
【請求項１３】  撮影された被写体の画像データおよびその撮影情報が記録されている記録媒体を離脱可能に装着する装着手段を有し、前記装着手段に装着された記録媒体に記録されている画像データを可視画像として出力する画像出力装置の画像処理方法であって、
前記記録媒体に記録されている撮影情報を読み出し、解析する解析工程と、
前記撮影情報の解析結果に基づいて撮像時にフラッシュ発光が行われたか否かを判定する判定工程と、
前記フラッシュ発光が行われた場合、前記記録媒体に記録されている画像データに基づいて撮像された被写体内の人物における赤目の存在の有無を検出する被写体検出工程と、
前記赤目の存在が検出されると、該検出された赤目を補正する赤目補正工程と
を有することを特徴とする画像処理方法。
【請求項１４】  前記撮影情報には撮影モードが含まれ、前記判定工程では、前記撮影情報の解析結果に基づいて撮像時に前記フラッシュ発光が行われかつ前記撮影モードが人物を主被写体とするモードであるか否かを判定し、前記被写体検出工程では、前記フラッシュ発光が行われかつ前記撮影モードが人物を主被写体とするモードである場合、前記赤目の存在の有無を検出することを特徴とする請求項１３記載の画像処理方法。
【請求項１５】  前記撮影情報には撮影倍率が含まれ、前記被写体検出工程では、基準撮影倍率から想定される特徴量の大きさと前記撮影倍率から想定される特徴量の大きさとを比較し、該比較結果に応じて前記赤目の存在の有無を検出することを特徴とする請求項１３または１４記載の画像処理方法。
【請求項１６】  前記撮影倍率は、前記撮像装置のレンズの焦点距離、被写体距離、および有効画素数のうち、少なくとも１つから決定されることを特徴とする請求項１５記載の画像処理方法。
【請求項１７】  前記撮影情報には撮影時の画像方向が含まれ、前記被写体検出工程は、前記記録媒体から画像データおよび前記画像方向を読み出し、前記画像方向に基づいて前記画像データを所定方向に変換して保持する画像保持工程を含み、前記被写体検出工程では、前記保持されている画像データに基づいて撮像された被写体内の人物における赤目の存在の有無を検出することを特徴とする請求項１３または１４記載の画像処理方法。
【請求項１８】  前記撮影情報には、前記フラッシュ発光時における照射方向が含まれ、前記判定工程では、前記フラッシュ発光時における照射方向が特定の方向であるときには、前記フラッシュ発光が行われていないと判定することを特徴とする請求項１３記載の画像処理方法。
【請求項１９】  撮影された被写体の画像データおよびその撮影情報が記録されている記録媒体を離脱可能に装着する装着手段を有し、前記装着手段に装着された記録媒体に記録されている画像データを可視画像として出力する画像出力装置上で実行されるプログラムであって、
前記記録媒体に記録されている撮影情報を読み出し、解析する解析モジュールと、
前記撮影情報の解析結果に基づいて撮像時に少なくとも前記フラッシュ発光が行われたか否かを判定する判定モジュールと、
少なくとも前記フラッシュ発光が行われた場合、前記記録媒体に記録されている画像データに基づいて撮像された被写体内の人物における赤目の存在の有無を検出する被写体検出モジュールと、
前記赤目の存在が検出されると、該検出された赤目を補正する赤目補正モジュールと
を有することを特徴とするプログラム。
【請求項２０】  前記撮影情報には撮影モードが含まれ、前記判定モジュールは、前記撮影情報の解析結果に基づいて撮像時に少なくとも前記フラッシュ発光が行われかつ前記撮影モードが人物を主被写体とするモードであるか否かを判定し、前記被写体検出モジュールは、前記フラッシュ発光が行われかつ前記撮影モードが人物を主被写体とするモードである場合、前記赤目の存在の有無を検出することを特徴とする請求項１９記載のプログラム。
【請求項２１】  前記撮影情報には撮影倍率が含まれ、前記被写体検出モジュールは、基準撮影倍率から想定される特徴量の大きさと前記撮影倍率から想定される特徴量の大きさとを比較し、該比較結果に応じて前記赤目の存在の有無を検出することを特徴とする請求項１９または１８記載のプログラム。
【請求項２２】  前記撮影倍率は、撮像装置のレンズの焦点距離、被写体距離、および有効画素数のうち、少なくとも１つから決定されることを特徴とする請求項２１記載のプログラム。
【請求項２３】  前記撮影情報には撮影時の画像方向が含まれ、前記被写体検出モジュールは、前記記録媒体から画像データおよび前記画像方向を読み出し、前記画像方向に基づいて前記画像データを所定方向に変換して保持する画像保持モジュールを含み、前記被写体検出モジュールは、前記画像保持手段に保持されている画像データに基づいて撮像された被写体内の人物における赤目の存在の有無を検出することを特徴とする請求項１９または１８記載のプログラム。
【請求項２４】  前記撮影情報には、前記フラッシュ発光時における照射方向が含まれ、前記判定モジュールは、前記フラッシュ発光時における照射方向が特定の方向であるときには、前記フラッシュ発光が行われていないと判定することを特徴とする請求項１９記載のプログラム。
【請求項２５】  請求項１９ないし２４のいずれかに記載のプログラムをコンピュータ読み取り可能に格納したことを特徴とする記憶媒体。
【手続補正３】
【補正対象書類名】明細書
【補正対象項目名】０００１
【補正方法】変更
【補正の内容】
【０００１】
【発明の属する技術分野】
本発明は、赤目補正を行うことが可能な画像処理システム、画像出力装置、画像処理方法、プログラムおよび記憶媒体に関する。
【手続補正４】
【補正対象書類名】明細書
【補正対象項目名】０００９
【補正方法】変更
【補正の内容】
【０００９】
本発明の目的は、撮像装置に特別な装置を搭載することなく、簡単にかつ自動的に赤目補正を行うことができる画像処理システム、画像出力装置、画像処理方法、プログラムおよび記憶媒体を提供することにある。
【手続補正５】
【補正対象書類名】明細書
【補正対象項目名】００１０
【補正方法】変更
【補正の内容】
【００１０】
【課題を解決するための手段】
本発明は、上記目的を達成するため、被写体を撮影し、該撮影された被写体の画像データとともにその撮影情報を離脱可能に装着された記録媒体に記録することが可能な撮像装置と、前記記録媒体を離脱可能に装着する装着手段を有し、前記装着手段に装着された記録媒体に記録されている画像データを可視画像として出力する画像出力装置とを備える画像処理システムであって、前記画像出力装置は、前記記録媒体に記録されている撮影情報を読み出し、解析する解析手段と、前記撮影情報の解析結果に基づいて撮像時にフラッシュ発光が行われたか否かを判定する判定手段と、前記フラッシュ発光が行われた画像データであると判定された場合、被写体内の人物における赤目の存在の有無を検出する被写体検出手段と、前記赤目の存在が検出されると、該検出された赤目を補正する赤目補正手段とを有することを特徴とする。
また、本発明は、上記目的を達成するため、撮影された被写体の画像データおよびその撮影情報が記録されている記録媒体を離脱可能に装着する装着手段を有し、前記装着手段に装着された記録媒体に記録されている画像データを可視画像として出力する画像出力装置であって、前記記録媒体に記録されている撮影情報を読み出し、解析する解析手段と、前記撮影情報の解析結果に基づいて撮像時にフラッシュ発光が行われたか否かを判定する判定手段と、前記フラッシュ発光が行われた画像データであると判定された場合、被写体内の人物における赤目の存在の有無を検出する被写体検出手段と、前記赤目の存在が検出されると、該検出された赤目を補正する赤目補正手段とを有することを特徴とする。
また、本発明は、上記目的を達成するため、上記画像出力装置の画像処理方法、該画像出力装置上で実行されるプログラム、およびそれを格納した記憶媒体を提供する。
【手続補正６】
【補正対象書類名】明細書
【補正対象項目名】００５２
【補正方法】削除
【補正の内容】
【手続補正７】
【補正対象書類名】明細書
【補正対象項目名】００５３
【補正方法】削除
【補正の内容】
【手続補正８】
【補正対象書類名】明細書
【補正対象項目名】００５４
【補正方法】削除
【補正の内容】
【手続補正９】
【補正対象書類名】明細書
【補正対象項目名】００５５
【補正方法】削除
【補正の内容】
【手続補正１０】
【補正対象書類名】明細書
【補正対象項目名】００５６
【補正方法】削除
【補正の内容】
【手続補正１１】
【補正対象書類名】明細書
【補正対象項目名】００５７
【補正方法】削除
【補正の内容】
【手続補正１２】
【補正対象書類名】明細書
【補正対象項目名】００５８
【補正方法】削除
【補正の内容】
【手続補正１３】
【補正対象書類名】明細書
【補正対象項目名】００５９
【補正方法】削除
【補正の内容】
【手続補正１４】
【補正対象書類名】明細書
【補正対象項目名】００６０
【補正方法】削除
【補正の内容】
【手続補正１５】
【補正対象書類名】明細書
【補正対象項目名】００６１
【補正方法】削除
【補正の内容】
【手続補正１６】
【補正対象書類名】明細書
【補正対象項目名】００６２
【補正方法】削除
【補正の内容】
【手続補正１７】
【補正対象書類名】明細書
【補正対象項目名】００６３
【補正方法】削除
【補正の内容】
【手続補正１８】
【補正対象書類名】明細書
【補正対象項目名】００６４
【補正方法】削除
【補正の内容】
【手続補正１９】
【補正対象書類名】明細書
【補正対象項目名】００６５
【補正方法】削除
【補正の内容】
【手続補正２０】
【補正対象書類名】明細書
【補正対象項目名】００６６
【補正方法】削除
【補正の内容】
【手続補正２１】
【補正対象書類名】明細書
【補正対象項目名】００６７
【補正方法】削除
【補正の内容】
【手続補正２２】
【補正対象書類名】明細書
【補正対象項目名】００６８
【補正方法】削除
【補正の内容】
【手続補正２３】
【補正対象書類名】明細書
【補正対象項目名】００６９
【補正方法】削除
【補正の内容】
【手続補正２４】
【補正対象書類名】明細書
【補正対象項目名】００７０
【補正方法】削除
【補正の内容】
【手続補正２５】
【補正対象書類名】明細書
【補正対象項目名】００７１
【補正方法】削除
【補正の内容】
【手続補正２６】
【補正対象書類名】明細書
【補正対象項目名】００７２
【補正方法】削除
【補正の内容】
【手続補正２７】
【補正対象書類名】明細書
【補正対象項目名】００７３
【補正方法】削除
【補正の内容】
【手続補正２８】
【補正対象書類名】明細書
【補正対象項目名】００７４
【補正方法】削除
【補正の内容】
【手続補正２９】
【補正対象書類名】明細書
【補正対象項目名】００７５
【補正方法】削除
【補正の内容】
【手続補正３０】
【補正対象書類名】明細書
【補正対象項目名】００７６
【補正方法】削除
【補正の内容】
【手続補正３１】
【補正対象書類名】明細書
【補正対象項目名】００７７
【補正方法】削除
【補正の内容】